【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
複合システムの部品のためのシステム関連リソースへのアクセスシステム（１００）であって、前記システムは、
複合システムの部品に位置づけされたバーコードをスキャンするように構成されたバーコードリーダ（２０２）であって、前記バーコードは、前記複合システムの部品の識別子と前記複合システムの部品のための各システム関連リソースへのリンクとを符号化し、前記システム関連リソースは、ソフトウェアベースシステム又は電子文書の内の少なくとも一つを含み、前記バーコードリーダ（２０２）は、前記バーコードから前記識別子とリンクとを復号するように構成されている、バーコードリーダ（２０２）と、
前記バーコードリーダ（２０２）に結合され、且つ前記複合システムの部品を識別し前記バーコードから復号された前記リンクを含むポータルを生成するように構成されたフロントエンドエンジン（２０４）であって、前記フロントエンドエンジン（２０４）は、前記複合システムの部品のためのそれぞれのシステム関連リソースにアクセスするためにリンクがナビゲート可能なグラフィカルユーザインターフェースに前記ポータルを表示させるように構成されている、フロントエンドエンジン（２０４）とを備え、
前記バーコードによって符号化された前記リンクは標準リンクであり、前記フロントエンドエンジン（２０４）は更に、前記複合システムの部品のためのシステム関連リソースへの他のカスタムリンクを引き出すように構成され、
前記カスタムリンクは、前記複合システムの部品の前記識別子に基づいて、かつ前記バーコードによって符号化された標準リンクとは独立に引き出され、
前記フロントエンドエンジン（２０４）によって生成された前記ポータルは前記複合システムの部品を識別し、標準リンクとカスタムリンクの両方を含む、システム（１００）。
【請求項２】
前記バーコード又は前記バーコードによって符号化された前記リンクが暗号化され、前記バーコードリーダ（２０２）又は前記フロントエンドエンジン（２０４）は、各前記バーコード又はリンクを解読するように構成される、請求項１に記載のシステム（１００）。
【請求項３】
前記フロントエンドエンジン（２０４）が前記ポータルを生成するように構成されることは、前記識別子とリンクとが前記バーコードから復号化される各インスタンスのあと前記ポータルを動的に生成するように構成されることを含み、
前記フロントエンドエンジン（２０４）はさらに、１または複数のカスタムリンクの追加または削除をもたらすように構成され、該１または複数のカスタムリンクが追加または削除の後、前記ポータルに含めるため、前記フロントエンジン（２０４）によって追加により引き出されることが可能になるまたは削除により引き出されることが不可能になる、請求項１に記載のシステム（１００）。
【請求項４】
前記バーコードリーダ（２０２）及び前記フロントエンドエンジン（２０４）は、ハードウェアベースの電子装置によって実装され、
他のカスタムリンクを引き出すように構成された前記フロントエンドエンジン（２０４）は、前記電子装置において各記憶装置（２０６）から少なくとも一つのカスタムリンクを引き出すように構成されることを含む、請求項１に記載のシステム（１００）。
【請求項５】
前記バーコードリーダ（２０２）とフロントエンドエンジン（２０４）は、ハードウェアベースの電子装置によって実装され、
他のカスタムリンクを引き出すように構成された前記フロントエンドエンジン（２０４）は、前記電子装置から遠く離れたリンク管理（１０４）システムから少なくとも一つのカスタムリンクを引き出すように構成されることを含む、請求項１に記載のシステム（１００）。
【請求項６】
前記バーコードリーダ（２０２）とフロントエンドエンジン（２０４）は、ハードウェアベースの電子装置によって実装され、
前記システム関連リソースは、一又は複数のリソースホスト（１０６）システムによってホストされ、前記一又は複数のリソースホスト（１０６）システムの内の少なくとも一つも、前記電子装置によって実装される、請求項１に記載のシステム（１００）。
【請求項７】
前記リンクは、アクセス制限されたシステム関連リソースへのリンクを含み、
各リンクのナビゲーションに応じて、前記フロントエンドエンジン（２０４）が前記アクセス制限されたシステム関連リソースにアクセスするためのユーザの認証及び許可を完全に又は部分的に自動化するように構成されている、請求項１に記載のシステム（１００）。
【請求項８】
複合システムの部品に位置づけされ、且つ前記複合システムの部品の識別子と、前記複合システムの部品の各システム関連リソースへのリンクとを符号化するバーコードをスキャンすることであって、前記システム関連リソースは、ソフトウェアベースのシステム又は電子文書の内の少なくとも一つを含む、スキャンすることと、
前記バーコードから前記識別子とリンクとを復号することと、
前記複合システムの部品を識別し、且つ前記バーコードから復号された前記リンクを含むポータルを生成することと、
前記複合システムの部品のためのそれぞれのシステム関連リソースにアクセスするために、前記リンクがナビゲート可能なグラフィカルユーザインターフェースに前記ポータルを表示することとを含む方法であって、
前記バーコードによって符号化された前記リンクは標準リンクであり、前記方法は更に、前記複合システムの部品のためのシステム関連リソースへの他のカスタムリンクを引き出すこととを含み、
前記カスタムリンクは、前記複合システムの部品の前記識別子に基づいて、かつ前記バーコードによって符号化された標準リンクとは独立に引き出され、
前記ポータルは前記複合システムの部品を識別し、標準リンクとカスタムリンクの両方
を含む方法。
【請求項９】
前記バーコード又は前記バーコードによって符号化されたリンクが暗号化され、更に、各バーコード又はリンクを解読することを含む、請求項８に記載の方法。
【請求項１０】
前記ポータルを生成することは、前記識別子とリンクとが前記バーコードから復号化される各インスタンスのあと前記ポータルを動的に生成することを含み、
前記フロントエンドエンジン（２０４）はさらに、１または複数のカスタムリンクの追加または削除をもたらすように構成され、該１または複数のカスタムリンクが追加または削除の後、前記ポータルに含めるため、前記フロントエンジン（２０４）によって追加により引き出されることが可能になるまたは削除により引き出されることが不可能になる、請求項８に記載の方法。
【請求項１１】
前記スキャンすること、復号すること、生成すること、及び表示することは、ハードウェアベースの電子装置によって行われ、他のカスタムリンクを引き出すことは、前記電子装置において、各記憶装置（２０６）から少なくとも一つのカスタムリンクを引き出すことを含む、請求項８に記載の方法。
【請求項１２】
前記スキャンすること、復号すること、生成すること、及び表示することが、ハードウェアベースの電子装置によって行われ、
他のカスタムリンクを引き出すことは、
前記電子装置から遠く離れたリンク管理（１０４）システムから少なくとも一つのカスタムリンクを引き出すこと
を含む、請求項８に記載の方法。
【請求項１３】
前記スキャンすること、復号すること、生成すること、及び表示することが、ハードウェアベースの電子装置によって行われ、
前記システム関連リソースは、１又は複数のリソースホスト（１０６）システムによってホストされ、前記１又は複数のリソースホスト（１０６）システムの内の少なくとも一つも、前記電子装置によって実装される、請求項８に記載の方法。
【請求項１４】
前記リンクは、アクセス制限されたシステム関連リソースへのリンクを含み、前記方法は更に、各リンクのナビゲーションに応じて、前記アクセス制限されたシステム関連リソースにアクセスするために、ユーザの認証及び許可を完全に又は部分的に自動化することを含む、請求項８に記載の方法。
【請求項１５】
コンピュータ可読プログラムコード部分が記憶されたコンピュータ可読記憶媒体であって、プロセッサによる実行に応じて、装置に少なくとも、
複合システムの部品に位置づけされ、且つ前記複合システムの部品の各システム関連リソースへのリンクを符号化するバーコードから  複合システムの識別子とリンクとを復号することであって、前記システム関連リソースは、ソフトウェアベースのシステム又は電子文書の内の少なくとも一つを含む、復号することと、
前記複合システムの部品を識別し、且つ前記バーコードから復号された前記リンクを含むポータルを生成することと、
前記複合システムの部品のためのそれぞれのシステム関連リソースにアクセスするために、前記リンクがナビゲート可能なグラフィカルユーザインターフェースに前記ポータルを表示することとを行わせ、
前記バーコードによって符号化された前記リンクは標準リンクであり、前記コンピュータ可読可読媒体はさらに、その中に蓄積される、前記プロセッサによる実行に対応して前記装置にさらに、前記複合システムの部品のためのシステム関連リソースへの他のカスタムリンクを引き出すことを起こさせる、コンピュータ可読コード部分を有し、
前記カスタムリンクは、前記複合システムの部品の前記識別子に基づいて、かつ前記バーコードによって符号化された標準リンクとは独立に引き出され、
前記ポータルは前記複合システムの部品を識別し、標準リンクとカスタムリンクの両方を含む、
コンピュータ可読記憶媒体。
【手続補正２】
【補正対象書類名】明細書
【補正対象項目名】０１１１
【補正方法】変更
【補正の内容】
【０１１１】
これらの開示内容に関連して、上記の説明及び添付図面に提示された教示の恩恵を有する、本明細書に記載された本開示の多数の修正例及び他の実行形態が、当業者には想起されるであろう。したがって、本開示は開示した特定の実行形態に限定されるものでなく、変形及び他の実行形態は添付の特許請求の範囲に含まれることを意図しているものと理解されたい。さらに、上述の説明及び添付図面は、要素及び／又は機能の特定の実施例の組み合わせに照らして例示の実行形態を説明しているが、添付の特許請求の範囲から逸脱せずに、代替的な実行形態によって要素及び／又は機能の異なる組み合わせが提供されてもよいと理解されたい。これに関しては、たとえば、明確に上述した要素及び／又は機能とは異なる要素及び／又は機能の組み合わせもまた考えられ、添付の特許請求項の範囲のいくつかの項に記載される。本明細書では特定の用語が使用されるが、それらは、一般的及び説明的な意味でのみ使用されており、限定を目的とするものではない。
また、本願は以下に記載する態様を含む。
（態様１）
複合システムの部品のためのシステム関連リソースへのアクセスシステム（１００）であって、前記システムは、
複合システムの部品に位置づけされたバーコードをスキャンするように構成されたバーコードリーダ（２０２）を備え、前記バーコードは、前記複合システムの部品のための各システム関連リソースへのリンクを符号化し、前記システム関連リソースは、ソフトウェアベースシステム又は電子文書の内の少なくとも一つを含み、前記バーコードリーダ（２０２）は、前記バーコードから前記リンクを復号するように構成されており、
前記システムは、前記バーコードリーダ（２０２）に結合され、且つ前記複合システムの部品を識別し前記バーコードから復号された前記リンクを含むポータルを生成するように構成されたフロントエンドエンジン（２０４）を備え、前記フロントエンドエンジン（２０４）は、前記複合システムの部品のためのそれぞれのシステム関連リソースにアクセスするためにリンクがナビゲート可能なグラフィカルユーザインターフェースに前記ポータルを表示させるように構成されている、システム（１００）。
（態様２）
前記バーコード又は前記バーコードによって符号化された前記リンクが暗号化され、前記バーコードリーダ（２０２）又はフロントエンドエンジン（２０４）は、各前記バーコード又はリンクを解読するように構成される、態様１に記載のシステム（１００）。
（態様３）
前記バーコードによって符号化された前記リンクは標準リンクであり、前記フロントエンドエンジン（２０４）は更に、前記複合システムの部品のためのシステム関連リソースへの他のカスタムリンクを引き出すように構成され、
前記フロントエンドエンジン（２０４）によって生成された前記ポータルは前記複合システムの部品を識別し、標準リンクとカスタムリンクの両方を含む、態様１に記載のシステム（１００）。
（態様４）
前記バーコードリーダ（２０２）及びフロントエンドエンジン（２０４）は、ハードウェアベースの電子装置によって実装され、
他のカスタムリンクを引き出すように構成された前記フロントエンドエンジン（２０４）は、前記電子装置において各記憶装置（２０６）から少なくとも一つのカスタムリンクを引き出すように構成されることを含む、態様１に記載のシステム（１００）。
（態様５）
前記バーコードリーダ（２０２）とフロントエンドエンジン（２０４）は、ハードウェアベースの電子装置によって実装され、
他のカスタムリンクを引き出すように構成された前記フロントエンドエンジン（２０４）は、前記電子装置から遠く離れたリンク管理（１０４）システムから少なくとも一つのカスタムリンクを引き出すように構成されることを含む、態様１に記載のシステム（１００）。
（態様６）
前記バーコードリーダ（２０２）とフロントエンドエンジン（２０４）は、ハードウェアベースの電子装置によって実装され、
前記システム関連リソースは、一又は複数のリソースホスト（１０６）システムによってホストされ、前記一又は複数のリソースホスト（１０６）システムの内の少なくとも一つも、前記電子装置によって実装される、態様１に記載のシステム（１００）。
（態様７）
前記リンクは、アクセス制限されたシステム関連リソースへのリンクを含み、
各リンクのナビゲーションに応じて、前記フロントエンドエンジン（２０４）が前記アクセス制限されたシステム関連リソースにアクセスするためのユーザの認証及び許可を完全に又は部分的に自動化するように構成されている、態様１に記載のシステム（１００）。
（態様８）
複合システムの部品に位置づけされ、且つ前記複合システムの部品の各システム関連リソースへのリンクを符号化するバーコードをスキャンすることであって、前記システム関連リソースは、ソフトウェアベースのシステム又は電子文書の内の少なくとも一つを含む、スキャンすることと、
前記バーコードから前記リンクを復号することと、
前記複合システムの部品を識別し、且つ前記バーコードから復号された前記リンクを含むポータルを生成することと、
前記複合システムの部品のためのそれぞれのシステム関連リソースにアクセスするために、前記リンクがナビゲート可能なグラフィカルユーザインターフェースに前記ポータルを表示することと
を含む方法。
（態様９）
前記バーコード又は前記バーコードによって符号化されたリンクが暗号化され、更に、各バーコード又はリンクを解読することを含む、態様８に記載の方法。
（態様１０）
前記バーコードによって符号化された前記リンクは標準リンクであり、更に、前記複合システムの部品のためのシステム関連リソースへの他のカスタムリンクを引き出すことを含み、前記ポータルは前記複合システムの部品を識別し、且つ標準リンクとカスタムリンクの両方を含む、態様８に記載の方法。
（態様１１）
前記スキャンすること、復号すること、生成すること、及び表示することは、ハードウェアベースの電子装置によって行われ、他のカスタムリンクを引き出すことは、前記電子装置において、各記憶装置（２０６）から少なくとも一つのカスタムリンクを引き出すことを含む、態様８に記載の方法。
（態様１２）
前記スキャンすること、復号すること、生成すること、及び表示することが、ハードウェアベースの電子装置によって行われ、
他のカスタムリンクを引き出すことは、
前記電子装置から遠く離れたリンク管理（１０４）システムから少なくとも一つのカスタムリンクを引き出すこと
を含む、態様８に記載の方法。
（態様１３）
前記スキャンすること、復号すること、生成すること、及び表示することが、ハードウェアベースの電子装置によって行われ、
前記システム関連リソースは、一又は複数のリソースホスト（１０６）システムによってホストされ、前記一又は複数のリソースホスト（１０６）システムの内の少なくとも一つも、前記電子装置によって実装される、態様８に記載の方法。
（態様１４）
前記リンクは、アクセス制限されたシステム関連リソースへのリンクを含み、前記方法は更に、各リンクのナビゲーションに応じて、前記アクセス制限されたシステム関連リソースにアクセスするために、ユーザの認証及び許可を完全に又は部分的に自動化することを含む、態様８に記載の方法。
（態様１５）
コンピュータ可読プログラムコード部分が記憶されたコンピュータ可読記憶媒体であって、プロセッサによる実行に応じて、装置に少なくとも、
複合システムの部品に位置づけされ、且つ前記複合システムの部品の各システム関連リソースへのリンクを符号化するバーコードからリンクを復号することであって、前記システム関連リソースは、ソフトウェアベースのシステム又は電子文書の内の少なくとも一つを含む、復号することと、
前記複合システムの部品を識別し、且つ前記バーコードから復号された前記リンクを含むポータルを生成することと、
前記複合システムの部品のためのそれぞれのシステム関連リソースにアクセスするために、前記リンクがナビゲート可能なグラフィカルユーザインターフェースに前記ポータルを表示することと
を行わせるコンピュータ可読記憶媒体。